(57)【要約】【課題】構造の簡素化を図りつつ、シェイク振動を、その振幅の大きさによらず確実に減衰吸収する。【解決手段】仕切り部材１７に、中間室２３と可動板２７と切替え手段２５と連通空間２６とが設けられ、可動板２７は、アイドル振動の入力時に中間室２３を通して主液室１５と連通空間２６とを連通させ、シェイク振動の入力時にその連通を遮断するように、中間室２３内に、第１取付け部材１１の軸方向に変位自在に収容され、連通空間２６内の液圧は、アイドル振動の入力時に中間室２３を通して主液室１５と連通空間２６とが連通することで、主液室１５内の液圧変動に応じて変動させられ、切替え手段２５は、変動させられた連通空間２６内の液圧が作用することで、主液室１５と副液室１６との第１制限通路２１を通した連通が遮断された状態から、主液室１５と副液室１６とが第１制限通路２１を通して連通された状態に切り替える。【選択図】図２
2014178016.tif 000002
【特許請求の範囲】
【請求項１】
振動発生部および振動受部のうちの一方に連結される筒状の第１取付け部材、および他方に連結される第２取付け部材と、
これらの両取付け部材を連結する弾性体と、
液体が封入された前記第１取付け部材内の液室を、前記弾性体を壁面の一部とする主液室と、副液室と、に区画する仕切り部材と、を備え、
前記仕切り部材には、前記主液室と前記副液室とを連通する制限通路が形成され、
前記制限通路は、アイドル振動の入力に対して共振を生じさせる第１制限通路と、シェイク振動の入力に対して共振を生じさせる第２制限通路と、を備えた液体封入型の防振装置であって、
前記仕切り部材には、前記主液室に連通する中間室と、前記中間室内に収容された可動板と、前記主液室と前記副液室との前記第１制限通路を通した連通およびその遮断を切り替える切替え手段と、前記中間室を通して前記主液室に連通可能とされ、内部の液圧を前記切替え手段に作用させて前記切替え手段を作動させる連通空間と、が設けられ、
前記可動板は、アイドル振動の入力時に前記中間室を通して前記主液室と前記連通空間とを連通させ、かつシェイク振動の入力時にその連通を遮断するように、前記中間室内に、前記第１取付け部材の軸方向に変位自在に収容され、
前記連通空間内の液圧は、アイドル振動の入力時に前記中間室を通して前記主液室と前記連通空間とが連通することで、前記主液室内の液圧変動に応じて変動させられ、
前記切替え手段は、変動させられた前記連通空間内の液圧が作用することで、前記主液室と前記副液室との前記第１制限通路を通した連通が遮断された状態から、前記主液室と前記副液室とが前記第１制限通路を通して連通された状態に切り替えることを特徴とする防振装置。
【請求項２】
請求項１記載の防振装置であって、
前記仕切り部材には、前記主液室と前記副液室とを接続する接続路が設けられ、
前記接続路は、アイドル振動の入力に対して共振を生じさせ、この共振により変動させられた内部の液圧を前記連通空間に伝達することを特徴とする防振装置。
【請求項３】
請求項２記載の防振装置であって、
前記接続路における共振のピーク周波数は、前記第１制限通路における共振のピーク周波数よりも低いことを特徴とする防振装置。
【請求項４】
請求項２または３に記載の防振装置であって、
前記接続路は、この接続路の壁面に開口する開口部を通して前記連通空間に連通していることを特徴とする防振装置。
【発明の詳細な説明】
【技術分野】
【０００１】
本発明は、例えば自動車や産業機械等に適用され、エンジン等の振動発生部の振動を吸収および減衰する防振装置に関する。
【背景技術】
【０００２】
従来から、この種の防振装置として、例えば下記特許文献１に示すような構成が知られている。この防振装置は、振動発生部および振動受部のうちのいずれか一方に連結される筒状の第１取付け部材、および他方に連結される第２取付け部材と、第１取付け部材および第２取付け部材を弾性的に連結する弾性体と、液体が封入された第１取付け部材内の液室を、弾性体を壁面の一部とする一方側の主液室と他方側の副液室とに区画する仕切り部材と、を備えている。前記仕切り部材は、主液室と副液室とを連通し振動の入力に対して液柱共振を生じさせ振動を減衰吸収する制限通路と、制限通路の共振周波数を切り替える切替え手段と、主液室と副液室とを接続する接続路と、接続路に連通し、接続路内の液圧を切替え手段に導入して切替え手段を作動させる液圧導入路と、接続路内に配設され接続路を通した主液室と副液室との連通を遮断する薄膜体と、を備えている。制限通路は、アイドル振動の入力に対して液柱共振を生じさせる第１制限通路と、シェイク振動の入力に対して液柱共振を生じさせる第２制限通路と、を備えている。切替え手段は、第１制限通路を通した主液室と副液室との連通、遮断を切り替える。
【０００３】
この防振装置では、シェイク振動の入力時には接続路内で液柱共振が生じず、接続路内での液圧変動が小さいため切替え手段が作動しない。その結果、第１制限通路を通した主液室と副液室との連通が遮断され、液体が、第２制限通路を通して主液室と副液室との間を流通する。これにより、第２制限通路内で液柱共振が生じてシェイク振動が減衰吸収される。
一方、アイドル振動の入力時には、薄膜体が弾性変形して接続路内で液柱共振が生じ、接続路内の液圧が大きく変動して液圧導入路を通して切替え手段に導入され、切替え手段が作動して主液室と副液室とが第１制限通路を通して連通される。これにより、液体が、第１制限通路を通して主液室と副液室との間を流通し、第１制限通路内で液柱共振が生じてアイドル振動が減衰吸収される。
前記防振装置によれば、シェイク振動のうち、振幅が小さいものが入力された場合であっても、第１制限通路を通した主液室と副液室との連通が遮断されていることから、小振幅のシェイク振動を効果的に減衰吸収することができる。
【先行技術文献】
【特許文献】
【０００４】
【特許文献１】特開２０１１−１６３４４６号公報
【発明の概要】
【発明が解決しようとする課題】
【０００５】
しかしながら、前記従来の防振装置では、シェイク振動のうち、振幅が大きいものが入力されたときには、アイドル振動の入力時と同様に、接続路内の液圧が変動して切替え手段が作動し、主液室と副液室とが第１制限通路を通して連通され易いという問題がある。シェイク振動が入力されているにも関わらず、主液室と副液室とが第１制限通路を通して連通すると、液体が、第１制限通路を通して主液室と副液室との間を積極的に流通し易くなり、入力されたシェイク振動を減衰吸収するのが困難になる。
なお、例えば接続路や薄膜体の構造を変更する等して、大振幅のシェイク振動の入力時に接続路内の液圧変動を抑えることも考えられるが、この場合、構造が複雑になるという問題がある。
【０００６】
本発明は、前述した事情に鑑みてなされたものであって、構造の簡素化を図りつつ、シェイク振動を、その振幅の大きさによらず確実に減衰吸収することができる防振装置を提供することを目的とする。
【課題を解決するための手段】
【０００７】
前記課題を解決するために、本発明は以下の手段を提案している。
本発明に係る防振装置は、振動発生部および振動受部のうちの一方に連結される筒状の第１取付け部材、および他方に連結される第２取付け部材と、これらの両取付け部材を連結する弾性体と、液体が封入された前記第１取付け部材内の液室を、前記弾性体を壁面の一部とする主液室と、副液室と、に区画する仕切り部材と、を備え、前記仕切り部材には、前記主液室と前記副液室とを連通する制限通路が形成された液体封入型の防振装置であって、前記制限通路は、アイドル振動の入力に対して共振を生じさせる第１制限通路と、シェイク振動の入力に対して共振を生じさせる第２制限通路と、を備え、前記仕切り部材には、前記主液室に連通する中間室と、前記中間室内に収容された可動板と、前記主液室と前記副液室との前記第１制限通路を通した連通およびその遮断を切り替える切替え手段と、前記中間室を通して前記主液室に連通可能とされ、内部の液圧を前記切替え手段に作用させて前記切替え手段を作動させる連通空間と、が設けられ、前記可動板は、アイドル振動の入力時に前記中間室を通して前記主液室と前記連通空間とを連通させ、かつシェイク振動の入力時にその連通を遮断するように、前記中間室内に、前記第１取付け部材の軸方向に変位自在に収容され、前記連通空間内の液圧は、アイドル振動の入力時に前記中間室を通して前記主液室と前記連通空間とが連通することで、前記主液室内の液圧変動に応じて変動させられ、前記切替え手段は、変動させられた前記連通空間内の液圧が作用することで、前記主液室と前記副液室との前記第１制限通路を通した連通が遮断された状態から、前記主液室と前記副液室とが前記第１制限通路を通して連通された状態に切り替えることを特徴とする。
【０００８】
この発明では、シェイク振動の入力時には、可動板が、中間室を通した主液室と連通空間との連通を遮断するように、中間室内で前記軸方向に変位する。その結果、例えば主液室内の液圧変動が連通空間に伝達されることが可動板により規制される等して、連通空間内での液圧が、主液室内での液圧変動に応じて変動することが抑えられるため、切替え手段が作動せずに第１制限通路を通した主液室と副液室との連通が遮断される。したがって、液体が、第２制限通路を通して主液室と副液室との間を流通し、第２制限通路内で共振が生じてシェイク振動が減衰吸収される。
一方、アイドル振動の入力時には、可動板が、中間室を通して主液室と連通空間とを連通させるように、中間室内で前記軸方向に変位する。その結果、連通空間内の液圧が主液室内の液圧変動に応じて変動し、この液圧が切替え手段に作用して切替え手段が作動する。すると、主液室と副液室との第１制限通路を通した連通が遮断された状態から、主液室と副液室とが第１制限通路を通して連通された状態に切り替えられる。これにより、液体が、第１制限通路を通して主液室と副液室との間を積極的に流通し、第１制限通路内で共振が生じてアイドル振動が減衰吸収される。
この防振装置によれば、入力される振動の周波数に応じて可動板の前記軸方向への変位の態様を異ならせるという簡便な構成によって連通空間内の液圧変動を制御することで、主液室と副液室との第１制限通路を通した連通およびその遮断を切り替えることができるので、この防振装置の構造の簡素化を図ることができる。
またこのように、入力される振動の周波数に応じて可動板の前記軸方向への変位の態様を異ならせることで、連通空間内の液圧変動を制御することができるので、連通空間内の液圧変動を、入力される振幅の大きさによらず高精度に制御することができる。したがって、大振幅のシェイク振動が入力されたとしても、連通空間内の液圧変動を可動板により確実に規制することが可能になり、主液室と副液室とが第１制限通路を通して連通されるのを抑制し、シェイク振動を、その振幅の大きさによらず確実に減衰吸収することができる。
【０００９】
また、前記仕切り部材には、前記主液室と前記副液室とを接続する接続路が設けられ、前記接続路は、アイドル振動の入力に対して共振を生じさせ、この共振により変動させられた内部の液圧を前記連通空間に伝達してもよい。
【００１０】
この場合、接続路が、アイドル振動の入力に対して生じる共振により変動させられた内部の液圧を連通空間に伝達するので、アイドル振動の入力時に、主液室内の液圧よりも変動が増幅された接続路内の液圧を連通空間に伝達することができる。したがって、アイドル振動の入力時に連通空間内の液圧を大きく変動させて切替え手段を確実に作動させることが可能になり、アイドル振動を確実に減衰吸収することができる。
【００１１】
また、前記接続路における共振のピーク周波数は、前記第１制限通路における共振のピーク周波数よりも低くてもよい。
【００１２】
この場合、接続路における共振のピーク周波数が、第１制限通路における共振のピーク周波数よりも低いので、アイドル振動のうち、第１制限通路における共振のピーク周波数よりも低いか同等の周波数の振動が入力されたときに、接続路内の液圧を大きく変動させることができる。したがって、この液圧を連通空間に伝達することで、連通空間内の液圧を大きく変動させることが可能になり、アイドル振動をより確実に減衰吸収することができる。
【００１３】
また、前記接続路は、この接続路の壁面に開口する開口部を通して前記連通空間に連通していてもよい。
【００１４】
この場合、接続路が、この接続路の壁面に開口する開口部を通して連通空間に連通しているので、接続路内の液圧変動を連通空間に損失少なく確実に伝達することが可能になり、アイドル振動をより確実に減衰吸収することができる。
【００１５】
また前記接続路内には、前記接続路を通した前記主液室と前記副液室との連通を遮断する薄膜体が配設され、前記薄膜体は、アイドル振動の入力時に前記接続路内で共振を生じさせるように弾性変形し、前記接続路は、前記主液室および前記中間室を通して前記連通空間に液圧を伝達してもよい。
【発明の効果】
【００１６】
本発明に係る防振装置によれば、構造の簡素化を図りつつ、シェイク振動を、その振幅の大きさによらず確実に減衰吸収することができる。
【図面の簡単な説明】
【００１７】
【図１】本発明の一実施形態に係る防振装置の縦断面図である。
【図２】図１に示す防振装置の模式図である。
【図３】図１に示す防振装置を構成する仕切り部材の斜視図である。
【図４】図３に示す仕切り部材の上面図である。
【図５】図３に示す仕切り部材の下面図である。
【図６】図３に示す仕切り部材の縦断面図である。
【図７】図３に示す仕切り部材の側面図である。
【図８】図３に示す仕切り部材の側面図であって、図７とは異なる側面の側面図である。
【図９】図３に示す仕切り部材の側面図であって、図７および図８とは異なる側面の側面図である。
【図１０】図３に示す仕切り部材を構成する切替え手段を説明するための上面図である。
【図１１】図３に示す仕切り部材を構成する切替え手段を説明するための上面図である。
【図１２】本発明の変形例に係る防振装置の模式図である。
【発明を実施するための形態】
【００１８】
以下、図面を参照し、本発明の一実施形態に係る防振装置を説明する。
図１に示すように、防振装置１０は、振動発生部および振動受部のうちのいずれか一方に連結される筒状の第１取付け部材１１、および他方に連結される第２取付け部材１２と、第１取付け部材１１および第２取付け部材１２を弾性的に連結する弾性体１３と、液体Ｌが封入された第１取付け部材１１内の液室１４を、弾性体１３を壁面の一部とする一方側の主液室１５と他方側の副液室１６とに区画する仕切り部材１７と、を備えている。
【００１９】
この液体封入型の防振装置１０が例えば自動車に装着された場合、第２取付け部材１２が振動発生部としてのエンジンに連結される一方、第１取付け部材１１が振動受部としての車体に連結されることにより、エンジンの振動が車体に伝達することが抑えられる。この防振装置１０では、装着時の支持荷重に基づいて主液室１５に正圧が作用する。
【００２０】
第１取付け部材１１は円筒状、図示の例では多段円筒状に形成されている。以下では、第１取付け部材１１の軸方向に沿って仕切り部材１７に対する主液室１５側を軸方向の一方側といい、副液室１６側を軸方向の他方側といい、第１取付け部材１１の軸線Ｏ回りに周回する方向を周方向という。
【００２１】
第２取付け部材１２は、第１取付け部材１１において前記軸方向の一方側に位置する一端部に配設されている。第２取付け部材１２は、前記軸線Ｏと同軸に配置された柱状に形成されている。
弾性体１３は、第１取付け部材１１の一端部の内周面および第２取付け部材１２の外周面に各別に接着されていて、第１取付け部材１１の一端部を閉塞している。
【００２２】
第１取付け部材１１において前記軸方向の他方側に位置する他端部は、ダイヤフラム１８により閉塞されている。そして前記液室１４は、第１取付け部材１１の内部のうち、弾性体１３とダイヤフラム１８との間に位置する部分とされ、この液室１４内に、例えばエチレングリコール、水、シリコーンオイル等の液体Ｌが充填されるとともに、仕切り部材１７が配設されている。主液室１５の液圧は、振動の入力時に、弾性体１３が変形してこの主液室１５の内容積が変化することで変動する。副液室１６は、ダイヤフラム１８を壁面の一部としており、ダイヤフラム１８が変形することにより拡縮する。
【００２３】
図２に示すように、仕切り部材１７には、制限通路２１、２２と、中間室２３と、接続路２４と、切替え手段２５と、連通空間２６と、可動板２７と、が設けられている。
制限通路２１、２２は、主液室１５と副液室１６とを連通する。制限通路２１、２２は、第１制限通路２１（アイドルオリフィス）と、第２制限通路２２（シェイクオリフィス）と、を備えている。
【００２４】
第１制限通路２１は、アイドル振動（例えば、周波数が１８Ｈｚ〜３０Ｈｚ、振幅が±０．５ｍｍ以下）の入力に対して液柱共振を生じさせる。第２制限通路２２は、アイドル振動よりも周波数が低いシェイク振動（例えば、周波数が１４Ｈｚ以下、振幅が±０．５ｍｍより大きい）の入力に対して液柱共振を生じさせる。
【００２５】
第１制限通路２１と第２制限通路２２とは、仕切り部材１７内において互いに独立していて、流路が兼用されていない。第１制限通路２１の流通抵抗は、第２制限通路２２の流通抵抗よりも小さくなっていて、主液室１５と副液室１６とが第１制限通路２１を通して連通されている状態では、液体Ｌは、第２制限通路２２よりも第１制限通路２１を積極的に流通する。
【００２６】
図３から図６に示すように、第１制限通路２１は、通路室３１と、第１通路孔３２と、第２通路孔３３と、により構成されている。通路室３１は、仕切り部材１７内に設けられている。第１通路孔３２は、通路室３１から前記軸方向の一方側に向けて開口し、主液室１５と通路室３１とを連通している。第２通路孔３３は、通路室３１から前記軸方向の他方側に向けて開口し、副液室１６と通路室３１とを連通している。
【００２７】
図３、図７から図９に示すように、第２制限通路２２は、凹部３４と、周溝部３５と、により構成されている。凹部３４は、仕切り部材１７において前記主液室１５側を向く表面から、前記軸方向の他方側に向けて凹んでいる。周溝部３５は、凹部３４の底部から周方向に延在している。周溝部３５の両周端部のうち、凹部３４とは反対側に位置する開放端部３５ａは、仕切り部材１７に設けられた貫通孔３６を通して副液室１６に連通している。
【００２８】
図１に示すように、貫通孔３６は、仕切り部材１７を前記軸方向に貫通し、主液室１５と副液室１６とを連通している。貫通孔３６は、高周波メンブラン３６ａにより閉塞されている。高周波メンブラン３６ａは、貫通孔３６のうち、前記軸方向の一方側に位置する端部内に配置されている。高周波メンブラン３６ａは、アイドル振動よりも周波数が高い高周波数振動（例えば、周波数が１００Ｈｚ以上）を減衰吸収する。
【００２９】
図２に示すように、中間室２３は、主液室１５に連通している。中間室２３は、仕切り部材１７内において制限通路２１、２２から独立している。
接続路２４は、主液室１５と副液室１６とを接続する。接続路２４は、中間室２３を通して主液室１５内に連通する。接続路２４は、アイドル振動の入力に対して液柱共振を生じさせてこの接続路２４内の液圧を変動させる。接続路２４における液柱共振のピーク周波数は、第１制限通路２１における液柱共振のピーク周波数よりも低い。
【００３０】
切替え手段２５は、主液室１５と副液室１６との第１制限通路２１を通した連通およびその遮断を切り替える。
連通空間２６は、中間室２３を通して主液室１５に連通可能とされ、内部の液圧を切替え手段２５に作用させて切替え手段２５を作動させる。連通空間２６は、中間室２３と切替え手段２５とを接続する。
【００３１】
図１に示すように、中間室２３は、第１連通孔３７を通して主液室１５に連通し、第２連通孔３８を通して副液室１６に連通している。これらの両連通孔３７、３８は、前記軸方向に延在している。第１連通孔３７は、主液室１５に直接開口していて、第２連通孔３８は、副液室１６に接続路２４を通して連通している。
【００３２】
図６および図１０に示すように、切替え手段２５は、前記通路室３１内に、前記軸線Ｏに直交する直交面に沿う摺動方向に摺動可能に配設されている。図示の例では、この摺動方向は、この防振装置１０（仕切り部材１７）を前記軸方向から見た平面視において、貫通孔３６と中間室２３とが並列する方向と同等となっている。これらの貫通孔３６および中間室２３と、通路室３１と、は、前記平面視において前記摺動方向に直交する方向に並列して配置されている。なお以下では、前記摺動方向に沿って貫通孔３６側を摺動方向の一方側といい、中間室２３側を摺動方向の他方側という。
【００３３】
切替え手段２５は、前記摺動方向に延在する棒状に形成されている。切替え手段２５は、前記摺動方向の両側に位置する一対の大径部２５ａ、２５ｂと、これらの両大径部２５ａ、２５ｂの間に位置する小径部２５ｃと、を備えている。切替え手段２５のうち、大径部２５ａ、２５ｂが通路室３１内に摺動可能に嵌合され、小径部２５ｃと通路室３１の壁面との間には、環状の連通隙間３１ａが設けられている。
【００３４】
切替え手段２５は、通路室３１内に拡縮空間３１ｂを区画している。拡縮空間３１ｂは、通路室３１内において、切替え手段２５よりも前記摺動方向の一方側に位置する空間により構成されている。拡縮空間３１ｂは、切替え手段２５において前記摺動方向の一方側に位置する第１大径部２５ａと、通路室３１の壁面のうち、第１大径部２５ａに前記摺動方向に対向する対向面部３１ｃと、の間に画成されている。拡縮空間３１ｂは、逃がし路３９を通して副液室１６に連通している。逃がし路３９は、対向面部３１ｃに開口している。
【００３５】
切替え手段２５と、通路室３１の壁面と、の間には、付勢部材４０が介装されている。付勢部材４０は、切替え手段２５の第１大径部２５ａと、通路室３１の対向面部３１ｃと、の間に介装されていて、切替え手段２５を、前記拡縮方向の他方側に向けて付勢可能とされている。
【００３６】
図１および図３に示すように、連通空間２６は、縦流路４１と、周流路４２と、を備えている。縦流路４１は、前記軸方向に延在するとともに中間室２３と同軸に配置されていて、中間室２３内に第２連通孔３８を通して連通している。縦流路４１は、この縦流路４１内に位置する区画壁４３により、前記軸方向の一方側の多段室４４と、前記軸方向の他方側の弁室４５と、に区画されている。
【００３７】
多段室４４は、前記軸方向の両側に位置する一対の拡径部４４ａと、これらの両拡径部４４ａの間に位置する縮径部４４ｂと、により構成されている。一対の拡径部４４ａのうち、前記軸方向の一方側に位置する第１拡径部４４ａには、第２連通孔３８が開口している。弁室４５は、区画壁４３に形成された弁開口４６を通して多段室４４に連通可能となっている。弁室４５には、弁開口４６を開閉可能に閉塞している逆止弁４７が設けられている。逆止弁４７は、中間室２３側から切替え手段２５側への液体Ｌの流通を許容し、その逆に向けた液体Ｌの流通を規制する。
【００３８】
図３に示すように、周流路４２は、仕切り部材１７の外周面に周方向に延設されている。周流路４２の両周端部のうち、一端部は、弁室４５内に開口し、他端部は、前記通路室３１内に連通可能となっている。周流路４２の他端部からは、切替え手段２５において前記摺動方向の他方側に位置する第２大径部２５ｂが露出している。
【００３９】
図１に示すように、接続路２４は、縮径部４４ｂを、この縮径部４４ｂの径方向の外側から囲繞するように、縮径部４４ｂの周方向に延在していて、一対の拡径部４４ａに前記軸方向に挟み込まれている。接続路２４の両周端部のうちの一端部は、前記貫通孔３６に開口していて、接続路２４は、貫通孔３６を通して副液室１６に連通する。接続路２４は、この接続路２４の壁面に開口する開口部４８を通して連通空間２６に連通している。開口部４８は、接続路２４の両周端部のうちの他端部から前記軸方向の一方側に延在し、前記第１拡径部４４ａの壁面に開口している。
【００４０】
図１および図２に示すように、可動板２７は、例えばゴム材料などの弾性体材料で形成され、中間室２３内に収容されている。可動板２７は、中間室２３内に、仕切り部材１７に対して相対的に前記軸方向に変位自在に収容されたいわゆるガタメンブランである。可動板２７の前記軸方向への変位の態様は、入力される振動の周波数に応じて異なる。可動板２７は、アイドル振動の入力時に中間室２３を通して主液室１５と連通空間２６とを連通させ、かつシェイク振動の入力時に中間室２３を通した主液室１５と連通空間２６との連通を遮断するように、仕切り部材１７に対して相対的に前記軸方向に変位する。
【００４１】
前記防振装置１０において、振動が入力されていない無入力状態では、図６および図１０に示すように、切替え手段２５の第１大径部２５ａが、第１通路孔３２および第２通路孔３３それぞれを通路室３１内から閉塞していて、主液室１５と副液室１６との第１制限通路２１を通した連通が遮断されている。
【００４２】
この無入力状態から前記軸方向にシェイク振動が入力されると、弾性体１３が弾性変形して主液室１５の液圧が変動する。また可動板２７が、中間室２３の壁面に当接して連通孔３７、３８を閉塞するように、中間室２３内で仕切り部材１７に対して前記軸方向に相対的に変位する。このとき可動板２７は、例えば第１連通孔３７および第２連通孔３８を交互に閉塞してもよく、第１連通孔３７および第２連通孔３８のうちの一方を閉塞し続けてもよい。
【００４３】
その結果、図２に示すような本実施形態の防振装置１０では、例えば、主液室１５内での液圧変動が連通空間２６に伝達されることが可動板２７により規制される等して、連通空間２６内の液圧が、主液室１５内での液圧変動に応じて変動することが抑えられる。したがって、切替え手段２５が作動することなく、主液室１５と副液室１６との第１制限通路２１を通した連通が遮断された状態が維持される。これにより、液体Ｌが、第２制限通路２２を通して主液室１５と副液室１６との間を流通し、この第２制限通路２２内で液柱共振が生じてシェイク振動が減衰吸収される。
【００４４】
一方、前記軸方向にアイドル振動が入力されると、主液室１５の液圧が変動するとともに、可動板２７が、中間室２３の壁面から離間して連通孔３７、３８を開放するように、中間室２３内で仕切り部材１７に対して軸方向に相対的に変位し、中間室２３を通して主液室１５と連通空間２６とが連通される。なおこのとき、可動板２７は、例えば中間室２３の内面から離間した状態で、前記軸方向の両側に交互に変位していてもよい。
【００４５】
すると、接続路２４内で液柱共振が生じることで接続路２４内の液圧が大きく変動し、この液圧が開口部４８を通して連通空間２６に伝達され、連通空間２６を通して切替え手段２５に導入される。これにより、連通空間２６内の液圧が主液室１５内の液圧変動に応じて変動させられて、この液圧が切替え手段２５に作用して切替え手段２５が作動する。このとき、切替え手段２５は、主液室１５と副液室１６との第１制限通路２１を通した連通が遮断された状態から、主液室１５と副液室１６とが第１制限通路２１を通して連通された状態に切り替える。
【００４６】
すなわち、図１０および図１１に示すように、連通空間２６からの液圧が切替え手段２５の第２大径部２５ｂに作用し、切替え手段２５が、付勢部材４０を前記摺動方向に弾性変形させて拡縮空間３１ｂを縮小させながら、通路室３１内を前記摺動方向の一方側に摺動する。切替え手段２５の小径部２５ｃが両通路孔３２、３３に前記軸方向に挟み込まれる位置まで、切替え手段２５が通路室３１内を摺動すると、両通路孔３２、３３が、連通隙間３１ａを通して連通され、主液室１５と副液室１６とが第１制限通路２１を通して連通される。
【００４７】
その結果、図１に示すような本実施形態の防振装置１０では、液体Ｌが、複数の制限通路２１、２２のうち、最も流通抵抗が小さい第１制限通路２１を通して主液室１５と副液室１６との間で積極的に流通し、この第１制限通路２１内で液柱共振が生じてアイドル振動が減衰吸収される。なおこのとき、第２制限通路２２内では液体Ｌの目詰まりが生じていてもよい。
【００４８】
その後、例えばアイドル振動の入力が停止されたり、アイドル振動の入力に代えてシェイク振動が入力されたりすると、接続路２４内で液柱共振が生じなくなり、接続路２４内の液圧変動が小さくなる。これにより、切替え手段２５が、第１制限通路２１を通した主液室１５と副液室１６との連通を遮断する。
【００４９】
すなわち図１０および図１１に示すように、付勢部材４０の付勢力により、切替え手段２５が、拡縮空間３１ｂを拡大させながら前記摺動方向の他方側に摺動すると、切替え手段２５の第１大径部２５ａが、両通路孔３２、３３それぞれを通路室３１内から閉塞し、主液室１５と副液室１６との第１制限通路２１を通した連通が遮断される。なおこのとき、通路室３１内において切替え手段２５よりも前記摺動方向の他方側に位置する空間内の液体Ｌの少なくとも一部が、例えば大径部２５ａ、２５ｂの外周面と通路室３１の壁面との間を通して連通隙間３１ａに流入してもよい。その後この液体Ｌが、連通隙間３１ａから各通路孔３２、３３を通して主液室１５もしくは副液室１６に、または、連通隙間３１ａから拡縮空間３１ｂおよび逃がし路３９を通して副液室１６に流出してもよい。
【００５０】
以上説明したように、本実施形態に係る防振装置１０によれば、入力される振動の周波数に応じて可動板２７の前記軸方向への変位の態様を異ならせるという簡便な構成によって連通空間２６内の液圧変動を制御することで、主液室１５と副液室１６との第１制限通路２１を通した連通およびその遮断を切り替えることができるので、この防振装置１０の構造の簡素化を図ることができる。
【００５１】
またこのように、入力される振動の周波数に応じて可動板２７の前記軸方向への変位の態様を異ならせることで、連通空間２６内の液圧変動を制御することができるので、連通空間２６内の液圧変動を、入力される振幅の大きさによらず高精度に制御することができる。したがって、大振幅のシェイク振動が入力されたとしても、連通空間２６内の液圧変動を可動板２７により確実に規制することが可能になり、主液室１５と副液室１６とが第１制限通路２１を通して連通されるのを抑制し、シェイク振動を、その振幅の大きさによらず確実に減衰吸収することができる。
【００５２】
また接続路２４が、アイドル振動の入力に対して生じる液柱共振により変動させられた内部の液圧を連通空間２６に伝達するので、アイドル振動の入力時に、主液室１５内の液圧よりも変動が増幅された接続路２４内の液圧を連通空間２６に伝達することができる。したがって、アイドル振動の入力時に連通空間２６内の液圧を大きく変動させて切替え手段２５を確実に作動させることが可能になり、アイドル振動を確実に減衰吸収することができる。
【００５３】
また、接続路２４における液柱共振のピーク周波数が、第１制限通路２１における液柱共振のピーク周波数よりも低いので、アイドル振動のうち、第１制限通路２１における液柱共振のピーク周波数よりも低いか同等の周波数の振動が入力されたときに、接続路２４内の液圧を大きく変動させることができる。したがって、この液圧を連通空間２６に伝達することで、連通空間２６内の液圧を大きく変動させることが可能になり、アイドル振動をより確実に減衰吸収することができる。
【００５４】
また接続路２４が、この接続路２４の壁面に開口する開口部４８を通して連通空間２６に連通しているので、接続路２４内の液圧変動を連通空間２６に損失少なく確実に伝達することが可能になり、アイドル振動をより確実に減衰吸収することができる。
【００５５】
なお、本発明の技術的範囲は前記実施形態に限定されるものではなく、本発明の趣旨を逸脱しない範囲において種々の変更を加えることが可能である。
例えば、前記実施形態では、接続路２４は開口部４８を通して連通空間２６に連通しているものとしたが、これに限られず、図１２に示すような防振装置５０であってもよい。
この防振装置５０では、接続路２４が、中間室２３を通して主液室１５に連通することに代えて、接続路２４が主液室１５に直結されている。接続路２４内には、接続路２４を通した主液室１５と副液室１６との連通を遮断する薄膜体５１が配設されている。薄膜体５１は、アイドル振動の入力時に接続路２４内で液柱共振を生じさせるように弾性変形する。
この防振装置５０では、アイドル振動が入力されると、前述のように可動板２７が、中間室２３を通して主液室１５と連通空間２６とを連通させながら、薄膜体５１が弾性変形して接続路２４内で液柱共振が生じ、接続路２４内の液圧が大きく変動する。そして液圧が、主液室１５および中間室２３を通して連通空間２６に伝達され、切替え手段２５が作動する。
【００５６】
また接続路２４はなくてもよい。この場合、アイドル振動が入力されたときに、主液室内の液圧変動を、中間室を通して連通空間に伝達することで連通空間内の液圧を変動させ、この液圧を切替え手段に作用させて切替え手段を作動させてもよい。つまり、アイドル振動の入力時に中間室を通して主液室と連通空間とが連通することで、連通空間内の液圧が主液室内の液圧変動に応じて変動させられる他の構成に適宜変更してもよい。
【００５７】
また前記実施形態では、高周波メンブラン３６ａは、高周波数振動を減衰吸収するものとしたが、これに限られるものではない。また、高周波メンブランおよび貫通孔はなくてもよい。
【００５８】
また前記実施形態では、防振装置１０、５０は、支持荷重に基づいて主液室１５に正圧が作用する構成であるものとしたが、これに限られず、例えば、支持荷重に基づいて主液室に負圧が作用する構成であってもよい。
さらに前記実施形態では、第１取付け部材１１が振動受部に連結され、第２取付け部材１２が振動発生部に連結されているが、これに限られない。例えば、第１取付け部材が振動発生部に連結され、第２取付け部材が振動受部に連結されてもよい。
【００５９】
また、本発明に係る防振装置１０は、車両のエンジンマウントに限定されるものではなく、エンジンマウント以外に適用することも可能である。例えば、建設機械に搭載された発電機のマウントにも適用することも可能であり、或いは、工場等に設置される機械のマウントにも適用することも可能である。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１０、５０  防振装置、１１  第１取付け部材、１２  第２取付け部材、１３  弾性体、１４  液室、１５  主液室、１６  副液室、１７  仕切り部材、２１  第１制限通路、２２  第２制限通路、２３  中間室、２４  接続路、２５  切替え手段、２６  連通空間、２７  可動板、Ｌ  液体
【図１】
2014178016.tif 000003
【図２】
2014178016.tif 000004
【図３】
2014178016.tif 000005
【図４】
2014178016.tif 000006
【図５】
2014178016.tif 000007
【図６】
2014178016.tif 000008
【図７】
2014178016.tif 000009
【図８】
2014178016.tif 000010
【図９】
2014178016.tif 000011
【図１０】
2014178016.tif 000012
【図１１】
2014178016.tif 000013
【図１２】
2014178016.tif 000014